(57)【要約】【課題】  自転車、フィットネスバイク、フィットネスチェアといった多用途のスポーツ・フィットネス器具のシートへ補助として回転制御を与える効果を有するフィットネス器具用シート回転制御機構を提供することを目的とする。【解決手段】  フィットネス器具用回転制御機構であり、一つの従動扇形ギアで、接続された偏心軸を回転させることにより、該偏心軸に枢設されたシートを回転させ、ペダル回転軸または減速モーター、或いは両者の同時動作による動力源が選択可能で、該制御機構を自転車、フィットネスバイク、フィットネスチェアに応用すると、そのシートの回転が制御できるため、使用者が該シートに乗ると臀部及び腰部を回す効果を有するものである。【選択図】  図１
0003124460.tif 000002
【実用新案登録請求の範囲】
【請求項１】
フィットネス器具用シート回転制御機構であり、
支持枠に設けたスリーブがあり、該スリーブ内の両端に其々一つの軸受けが嵌められ、
一つの偏心軸があり、その上端には一つのシートが枢接され、その下端からは下向きに一つの中継軸が延伸し、該中継軸の下部の適当な位置にナットを締付けるためのねじ山が設けられ、該中継軸が前記スリーブの軸受け内に収納されることにより該偏心軸の横方向位置が規制され、同時にナットを使ってしっかり締付けられるため、該中継軸及び偏心軸のスリーブの軸受け内における回転位置が制限され、
前記シートは前記偏心軸の上端に枢接されるため、使用者が乗るとき、該偏心軸の回転に伴って該シートが円周にそって移動しても、それに従って使用者の向きが回転せず、
一つの従動扇形ギアがあり、該従動扇形ギアは前記中継軸と連接するとともに前記偏心軸を回転させるためにメイン軸の扇形ギアと互いに噛合せられており、
一つのペダル回転軸があり、該軸に一つの補助チェーンホイールが固着されており、
前記メイン軸には前記扇形ギアと一つのチェーンホイールが固定され、
一つのチェーンを前記チェーンホイールと前記補助チェーンホイールに被せることによって連動させ、且、前記扇形ギアと前記従動扇形ギアとを噛合せて連動させることにより、
ペダル回転軸によってメイン軸を回転させると同時に扇形ギアによって従動扇形ギアを回転させると偏心軸が回転し、結果的にシートが円周にそって移動することとなるフィットネス器具用シート回転制御機構。
【請求項２】
フィットネス器具用シート回転制御機構であり、
支持枠に設けた一つのスリーブがあり、該スリーブ内の両端に其々一つの軸受けが嵌められ、
一つの偏心軸があり、その上端に一つのシートが枢接され、その下段から一つの中継軸が延びて、該中継軸の下部の適当な位置に一つのナットを締付けるためのねじ山が設けられ、該中継軸が前記スリーブの軸受け内に収納されることにより該偏心軸の横方向位置が規制され、同時にナットで締付けられることにより、該中継軸及び偏心軸がスリーブの軸受け内で回転するのが制限されるようになり、
前記シートは前記偏心軸の上端に枢接されるため、使用者が乗るとき、該偏心軸の回転に伴って該シートが円周にそって移動しても、それに従って使用者の向きが回転せず、
前記中継軸と連接した従動扇形ギアがあり、該従動扇形ギアは偏心軸を回転させるためにメイン軸の扇形ギアと互いに噛合せられており、
一つのペダル回転軸があり、その上に更に一つの補助チェーンホイールが増設されており
前記メイン軸には前記扇形ギア、一つのチェーンホイール及び一つのメインギアが固着されており、
前記チェーンホイールと前記補助チェーンホイールは、一つのチェーンを被せることによって連動し、且、前記扇形ギアと前記従動扇形ギアは噛合うことによって連動し、
前記メインギアと噛合うドライブギアが固着された減速モーターがあり、
ペダル回転軸或いは減速モーターによってメイン軸を回転させると同時に扇形ギアによって従動扇形ギアを回転させると偏心軸が回転し、結果的にシートが円周にそって移動することとなるフィットネス器具用シート回転制御機構。
【請求項３】
フィットネス器具用シート回転制御機構であり、
支持枠に設けた一つのスリーブがあり、該スリーブ内の両端に其々一つの軸受けが嵌められ、
一つの偏心軸があり、その上端に一つのシートが枢接され、その下段から一つの中継軸が延びて、該中継軸の下部の適当な位置に一つのナットを締付けるためのねじ山が設けられ、該中継軸が前記スリーブの軸受け内に収納されることにより該偏心軸の横方向位置が規制され、同時にナットで締付けられることにより、該中継軸及び偏心軸がスリーブの軸受け内で回転するのが制限されるようになり、
一つの圧縮スプリングがあり、該圧縮スプリングは、中継軸の軸方向スライド溝の外に被されて前記スリーブと従動扇形ギアとの間に位置しており、
前記シートは前記偏心軸の頂端に枢接されるため、使用者が乗るとき、該偏心軸の回転に伴って該シートが円周にそって移動しても、それに従って使用者の向きが回転せず、
前記中継軸と連接した従動扇形ギアがあり、該従動扇形ギアは偏心軸を回転させるためにメイン軸の扇形ギアと互いに噛合せられており、
一つの受け板を挿入するために該従動扇形ギアの上に環状に設けた一つのリング溝があり、
一つのペダル回転軸があり、その上に更に一つの補助チェーンホイールが増設されており、
前記メイン軸には前記扇形ギア、一つのチェーンホイール及び一つのメインギアが固着されており、
前記チェーンホイールと前記補助チェーンホイールは、一つのチェーンを被せることによって連動し、且、前記扇形ギアと前記従動扇形ギアは噛合うことによって連動し、
前記メインギアと噛合うドライブギアが固着された減速モーターがあり、
ペダル回転軸或いは減速モーターによってメイン軸を回転させると同時に扇形ギアによって従動扇形ギアを回転させると、偏心軸が回転することで、結果的にシートが円周にそって移動し、
受け板、固定バー、スプリング、調節器、板体からなる第一クラッチ機構があり、該第一クラッチ機構は従動扇形ギアを制御するために適当な位置に設けられ、該受け板は従動扇形ギアのリング溝に挿入され、調節器によって該従動扇形ギアの上昇と下降を制御することで、従動扇形ギアと扇形ギアとの噛合せと離脱を制御するものであり、
減速モーターを固定した枢接座に、一つの固定座、位置制限バー、スプリング、調節器及び止めフックからなる第二クラッチ機構があり、該第二クラッチ機構は、調節器で枢接座を枢軸を軸心にして揺れるように制御することにより、ドライブギアとメインギアとの噛合せと離脱を制御し、
ペダル回転軸または減速モーターにより、同時に或いは別々に偏心軸を回転させるように従動扇形ギアを駆動してから、第一クラッチ機構を使用して従動扇形ギアをメイン軸の扇形ギアとの噛合せから離脱させるように制御すると、偏心軸を軸心にして使用者がシートを自由に回転できるようになり、また、第二クラッチ機構を使用して減速モーターのドライブギアをメイン軸のメインギアとの噛合せから離脱させるように制御し、従動扇形ギアを連動させると、動力源をペダルだけとすることができるようになるものであるようなフィットネス器具用シート回転制御機構。
【請求項４】
前記偏心軸のねじ山の下方に軸方向のスライド溝を設け、また前記従動扇形ギアの軸孔の内縁に該軸方向スライド溝と対応する軸方向スライドレールを設け、軸方向スライドレールを軸方向スライド溝に嵌め入れることにより、従動扇形ギアが軸方向スライド溝の範囲内を上下に移動できることを特徴とする請求項１乃至３のいずれかに記載のフィットネス器具用シート回転制御機構。
【請求項５】
前記スリーブの上方に前記偏心軸を囲む一つの中継スリーブを設け、該中継スリーブに一つの固着ピンを設け、該偏心軸を該中継スリーブ内に嵌め入れることにより該偏心軸を上下へ伸縮運動させることができ、また、固着ピンを締めることにより該中継スリーブと該偏心軸を固着できることを特徴とする請求項１乃至３のいずれかに記載のフィットネス器具用シート回転制御機構。
【請求項６】
前記偏心軸に枢接されたシートが、該偏心軸の頂端に固定される一つの調整座、シートの底端に軸方向に設けられる一つの軸バー、一つの調整バー、該調整バーの先端に接続される一つの軸スリーブ及び前記調節座を貫通する一つの固定ピンを備え、
該軸バーを該軸スリーブに回転可能に嵌め入れ、
前記調整バーを前方また後方から前記調節座に挿入し、
該調整バーの該調節座に対する位置を変更することによって前記シートと前記偏心軸との距離を調節し、
前記固定ピンによって該調整バーの該調節座に対する位置を固定することによって、前記シートと前記偏心軸との距離を固定することを特徴とする、請求項１乃至３のいずれかに記載のフィットネス器具用シート回転制御機構。
【請求項７】
前記従動扇形ギアと前記中継軸との結合構造における特徴が、該従動扇形ギアの軸孔の内縁に軸方向スライドレール（溝）が設けてあること及び、該中継軸の軸方向スライドレール（溝）と対応する位置に軸方向スライド溝（レール）が設けてあることにあり、該中継軸の軸方向スライド溝（レール）を該従動扇形ギアの軸孔の軸方向スライドレール（溝）内に嵌め入れることにより、該従動扇形ギアが該中継軸の軸方向スライド溝（レール）において上下への移動を行うと同時に偏心軸を回転させることができることを特徴とする請求項1乃至３のいずれかに記載のフィットネス器具用シート回転制御機構。
【請求項８】
前記減速モーターが前記枢接座に固着され、該枢接座が前記枢軸によって前記支持枠に枢接され、且該枢接座に前記固定座が固定され、該固定座によって第二クラッチ機構が固定できるため、枢接座を減速モーターとともに前後へ揺らすことができることを特徴とする請求項２または３に記載のフィットネス器具用シート回転制御機構。
【請求項９】
前記中継軸の軸方向スライド溝の外側に前記圧縮スプリングを被せて設けることができ、該圧縮スプリングを前記ナットと前記従動扇形ギアとの間に位置させると、該圧縮スプリングが該従動扇形ギアの上下への移動によって圧縮されたり復帰したりできるものであることを特徴とする請求項３に記載のフィットネス器具用シート回転制御機構。
【請求項１０】
前記第一クラッチ機構は、
前記受け板が、前記スプリングと前記従動扇形ギアとの間に開設されたリング溝内に挿入され、
前記固定バーが、該受け板の終端を貫通して設けられ、
前記スプリングが、該受け板と前記板体との間に位置するように該固定バーに被せてから該板体に固定され、
前記調節器の調節縄の終端が該板体に固定され、
該調節縄に被せる縄スリーブは、一つの止めピンで該受け板の上に位置が制限されながら前記固定バーと中継軸との間に位置しており、
該調節器によって該調節縄を調整することで、前記受け板を、前記圧縮スプリングを上へ押したり放したりするように制御すると、前記従動扇形ギアが前記軸方向スライドレールを利用して中継軸の軸方向スライド溝内を上下へ移動し、従動扇形ギアと扇形ギアとの噛合せと離脱が制御されるものであることを特徴とする請求項３に記載のフィットネス器具用シート回転制御機構。
【請求項１１】
前記第二クラッチ機構は、
前記固定座が、前記枢接座上の適当な位置に設けられ、
前記位置制限バーが、該固定座を貫通して前記止めフックに固着され、
前記スプリングが、該位置制限バーに被せて設けられ、
前記調節器の調整縄の終端が、該止めフックに固定され、
該調整縄の縄スリーブが一つの止めピンによって該固定座に固定されており、
該調節器で該調節縄を調整し、該止めピンを利用して該調節縄を引き締めたり弛めたりすることで、前記枢接座を前記枢軸を軸心にして前後へ揺らすように制御すると、前記ドライブギアと前記メインギアとの噛合せと離脱が制御されるものであることを特徴とする請求項３に記載のフィットネス器具用シート回転制御機構。
【請求項１２】
自転車、フィットネスバイクに応用できることを特徴とする請求項1に記載のフィットネス器具用シート回転制御機構。
【請求項１３】
フィットネスバイクに応用できることを特徴とする請求項２または３に記載のフィットネス器具用シート回転制御機構。
【請求項１４】
補助チェーンホイール及びペダル回転軸を省略することにより、フィットネスチェアに応用できることを特徴とする請求項３に記載のフィットネス器具用シート回転制御機構。
【考案の詳細な説明】
【技術分野】
【０００１】
本考案はフィットネス器具用シート回転制御機構に関し、さらに、偏心軸に軸接されたシートを、自転車、フィットネスバイク、フィットネスチェアのペダル軸によって駆動させたり、電動モーターによって駆動させたりすることで、フィットネス運動時にシートを回転させることのできるフィットネス器具用シート回転制御機構に関す。
【背景技術】
【０００２】
一般のフィットネス器具は、種類は繁多だが、殆どが室内での運動を主にしており、最もよく見かけられるのはフィットネスバイクである。その中でも多くの人に利用されている磁気制御のフィットネスバイクは操作が簡易で、一つの調節器だけで磁場間にある磁力牽引の距離を調整して足踏み力に対する抵抗を調節することによって、使用者がその作用の大きさを適当に調節するものである。
【０００３】
前記のフィットネスバイクは腿部を運動させるものであり、人体の腰部と臀部を運動させるには、更にフラフープを使う以外、その部分を運動させる機能を有する器具はなく、強いて言っても、只腰部または臀部へ振動按摩を行う振動按摩器ぐらいのものしかないため、フラフープのないまたは使えない人にとってはその場で自分の体を捻るだけで他に方法がない。
【考案の開示】
【考案が解決しようとする課題】
【０００４】
１．従来知られたフィットネスバイクは只足踏み運動だけを供し、腰部への運動を提供する機能を有しない。
【０００５】
２．該フラフープの使用に当たっては技巧の習得が必要とされ、直ぐに操ることができるようなものではなく、また、充分なスペースが必要となり、使用が制限されている。
【０００６】
３．体で直接に腰を回したり尻を揺らしたりすると、上半身がそれに伴って揺れたりするため、結果的に該腰部と臀部の運動効果及び程度が大いに妨害される。
【課題を解決するための手段】
【０００７】
１．本考案では、一つのスリーブ内に偏心軸を設け、該偏心軸の一端に一つのシートを枢接して設け、もう一端に一つの従動扇形ギアを設けることにより、該従動扇形ギアの回転に伴ってシートを回転させることができるのである。
【０００８】
２．案における従動扇形ギアは、偏心軸と固定されていても分離されていてもよいが、分離する場合、従動扇形ギアが偏心軸の底端部から上下へ移動できると同時に偏心軸を回転させ得るように構成することができる。
【０００９】
３．本考案では前記の従動扇形ギアの下方に一つの扇形ギアを噛合せ、該扇形ギアをメイン軸に固定し、且メイン軸に更に一つの従動チェーンホイール或いはメインギアを固着するため、動力源を提供して其々従動チェーンホイール或いはメインギアを回転させることにより、結果的に従動扇形ギアが偏心軸を介してシートを回転させるようにすることができるものである。
【００１０】
４．本考案における動力源は、メイン軸を回転させることができれば、ペダル回転軸であっても減速モーターであってもよい。
【００１１】
５．本考案では第一クラッチ機構及び第二クラッチ機構を応用することができ、第一クラッチ機構では従動扇形ギアとメイン軸の扇形ギアとの噛合せと離脱を制御でき、第二クラッチ機構では減速モーターとメイン軸のメインギアとの噛合せと離脱を制御でき、これらの制御により、偏心軸がシートを回転させるための動力源が選択できる。つまり、ペダル回転軸によってシートを回転させたり、または減速モーターによってシートを回転させたり、または同時にペダル及び減速モーターによってシートを回転させたりすることができるものである。
【００１２】
６．本考案では、自転車、フィットネスバイク及びフィットネスチェアに前記のスリーブを使用し、その上方に一つの中継スリーブを設け、上下へ伸縮可能に偏心軸を該中継スリーブ内に嵌め入れることができるため、シート及び偏心軸を、使用者の高さにあわせて上下へ調整できるものである。
【００１３】
７．本考案では、偏心軸に枢接されるシートの調整座を、偏心軸の頂端に固着できるため、偏心軸が駆動される際に必要となる回転半径に応じてシートの前後位置を適当に調整できるものである。
【００１４】
８．本考案は、フィットネスバイク、自転車或いはフィットネスチェアに応用して其々違った操作制御を選択できるものである。
【考案の効果】
【００１５】
請求項１の考案によると、踏み運動と同時に臀部及び腰部の回転運動を行うフィットネス運動を実現できる。
【００１６】
請求項２の考案によると、シートの回転に減速モーターからの補助動力を使用できるので、小さなペダル回転力でシートを回転させることができ、さらに、減速モーターだけで自動的にシートを回転させることもできる。
【００１７】
請求項３の考案によると、足踏み運動と同時に臀部と腰部との回転運動を行うフィットネス運動を実現することができ、また、動力源の選択が可能となる。
【００１８】
請求項５に記載の考案によると、シートの高さを使用者に合せて上下へ調整できる。
【００１９】
請求項６に記載の考案によると、偏心軸の回転とは無関係に軸バーを軸としてシートを自由に回転でき、また、偏心軸が駆動される際のシートの回転半径を必要に応じて適当に調整できる。
【００２０】
請求項１０に記載の考案によると、フィットネス運動の動力源が選択可能になる。
【考案を実施するための最良の形態】
【００２１】
以下、本考案の好適な実施形態について、自転車、フィットネスバイク、フィットネスチェアを代表として説明することにするが、本考案の形態は下記の実施形態に何ら限定されるものではなく、本考案の技術的範囲に属する限り種々の形態を採り得ることは無論である。
【００２２】
本考案の機構における共通の構造部分とは、主に図1乃至図３に示したように、支持枠1に一つのスリーブ11を設け、該スリーブ11内の両端には其々一つの軸受け12を設け、一つの偏心軸2の上に一つのシートＳ（図４等参照）を枢接し、該偏心軸2の下端から下へ一つの中継軸21を伸出させ、該中継軸21の下部に一つの軸方向スライド溝（レール）211を設け、更に該軸方向スライド溝（レール）211の上方に一つのねじ山212を設けたものであり、また、図１及び図２に示したように、前記偏心軸2を軸受け12内に嵌め入れ、一つのナット213を該ねじ山212に締付けて前記スリーブ11の底端にある軸受け12下端に押し付けることによって固定してから、シートＳを回転させるために、該偏心軸2をスリーブ11内において軸受け12で回転させるものである。
【００２３】
1つの従動扇形ギア3の軸孔31の内縁に前記の中継軸21の軸方向スライド溝（レール）211と対になる軸方向スライドレール（溝）32を設けることにより、該中継軸21の軸方向スライド溝（レール）211を該従動扇形ギア3の軸孔31の軸方向スライドレール（溝）32の中に嵌め入れると、該従動扇形ギア3は、該中継軸21の軸方向スライド溝（レール）211に沿って上下へ移動可能でありながら、偏心軸2を回転させることもできる。また、該中継軸21の軸方向スライド溝（レール）211の外側に一つの圧縮スプリング314を被せて設け、圧縮スプリング314をナット213と従動扇形ギア3との間に位置させると、圧縮スプリング314は、従動扇形ギア3の上下への移動により、圧縮されたり復帰したりすることができる。
【００２４】
そこで、前記の従動扇形ギア3の下方に一つの扇形ギア41を噛合せるように設け、該扇形ギア41をメイン軸4に固定し、さらに、一つの従動チェーンホイール42或いはメインギア42’をメイン軸4に固定して、メイン軸4を支持枠1の外側へ貫通させる。
【００２５】
図４乃至図８に示したように、ペダル回転軸5上に、既存のドライブチェーンホイール51に加えて、その内側に一つの補助チェーンホイール52を増設して、そして一つのチェーン53を、補助チェーンホイール52と従動チェーンホイール42とが連動するように被せて設けてると、ペダル回転軸5の回転によって補助チェーンホイール52及び従動チェーンホイール42を回転させることができ、結果的にメーン軸4が扇形ギア41を駆動し、扇形ギアと噛合う従動扇形ギア3を回転させ、結果的に偏心軸2を回転させると、シートが回転し、踏み運動が達成されると同時に、併せて、臀部及び腰部の運動も達成される。一方、ペダル回転軸5の回転を利用しなくても使用者の臀部の回転によってそのまま偏心軸2に対して軸受け12を軸心にして腰部の回転運動を行うこともできる。このようにして、自転車10及びフィットネスバイク20へ応用することができるのである。
【００２６】
図9及び図10に示したように、メイン軸4に設けた前記従動チェーンホイール42をメインギア42’に換え、且該メイン軸4の前方に一つの減速モーター6を設け、該減速モーター6に一つのドライブギア61を固定し、該ドライブギア61が該メインギア42’と噛合うようにすると、減速モーター6によるドライブギア61の回転に伴い、結果的にメインギア42’とメインギア42’に固定されたメイン軸4が回転し、さらに、メイン軸4に固定された扇形ギア41が回転する。これにより、扇形ギア41と噛合う従動扇形ギア3が回転し、従動扇形ギア3と連結された偏心軸2も回転する。以上の構成により、シートＳは減速モーター6からの補助動力による自動回転が可能となり、フィットネスチェア30として応用することができる。
【００２７】
図7乃至図10に示したように、メイン軸4上の、前記メインギア42’と異なる側にさらに一つの従動チェーンホイール42を固定し、また、ドライブチェーンホイール51と異なる側にも一つの補助チェーンホイール52’を固定し、且一つのチェーン53’を被せることにより、従動チェーンホイール42と補助チェーンホイール52’とが連動して回転するようにし、メイン軸4に固定された扇形ギア41が、扇形ギア41と噛合う従動扇形ギア3を回転させると、従動扇形ギア3と連結された偏心軸2も回転する。以上の構成により、シートＳは減速モーター6の補助動力及びペダル回転軸5の動力によって小さな力で回転可能となり、フィットネスバイク20として応用することができる。
【００２８】
図7及び図9に示した調節器Ａ、Ｂは一般の運動器具に使われて従来知られた装置である。調節縄Ａ1、Ｂ1を該調節器Ａ、Ｂ内に巻いたもので、一般の自転車のブレーキのブレーキ線に相当するものであるが、従来知られたパーツであるため、説明を省略する。
【００２９】
図7、9、10、11、12、13及び14に示したように、前記の従動扇形ギア3の上下への移動は、第一クラッチ機構7による制御を応用したものである。該第一クラッチ機構7では、前記圧縮スプリング314と従動扇形ギア3との間に開設されたリング溝33（図2参照）内に一つの受け板71を挿入し、該受け板71の終端に一つの固定バー72を貫通して設けてから一つのスプリング73を被せて板体74に固定することによって、該スプリング73を受け板71と板体74との間に位置させる。更に一つの調節器Ａの調節縄Ａ1の終端を該板体74に固定する。該調節縄Ａ1を覆う縄スリーブＡ2は、固定バー72と中継軸21の間の位置で、一つの止めピンＡ3によって受け板71に固定されている。このような構成において、調節器Ａで調節縄Ａ1を調節することにより、受け板71から圧縮スプリング314に対して従動扇形ギア3を上へ押し上げるように制御すると、該従動扇形ギア3が前記の軸方向スライドレール32を利用して中継軸の軸方向スライド溝211に沿って上へ滑り、従動扇形ギア3を扇形ギア41との噛合せから離脱させることができる。これにより、使用者が偏心軸2を軸心にしてシートＳを自由に回転させることができるようになる。逆に、調節縄Ａ1を弛めると、受け板71がスプリング73によって元に押し戻され、同時に、該従動扇形ギア3も圧縮スプリング314の復帰力によって扇形ギア41と噛合うようになり、偏心シートＳをペダル回転軸5と連動させることによって足部、腰部、臀部への同時運動が提供できる一方で、更に、減速モーター6と連動させることによってフィットネス運動に動力源を利用することもできるのである。
【００３０】
図7、9、10、11、12、13及び14に示したように、前記の減速モーター6の枢接座62は一つの枢軸621で前記の支持枠1の前方に枢接されている。且該枢接座62には一つの固定座622が設けられており、該固定座622により第二クラッチ機構8を固定できる。第二クラッチ機構8では、一つの位置制限バー81を該固定材622を貫通して設けてから更に一つのスプリング82を被せ、また該位置制限バー81の終端を止めフック83に固定すると同時に、調節器Ｂの調節縄Ｂ1の終端を該止めフック83に固定し、該調節縄Ｂ1の縄スリーブＢ2を一つの止めピンＢ3で該固定座622に固定している。このような構成において、調節器Ｂで調整縄Ｂ1を調整し、止めピンＢ3で調節縄Ｂ1を引き締めたり弛めたりすることにより、該枢接座622の枢軸621を軸心とした回動を制御することができる。調節縄Ｂ1を引き締めることによってスプリング82を圧縮すると、該ドライブギア61と該メインギア42’が噛合って連動するようになり、調節縄Ｂ1を弛めると、スプリング82によって枢接座622が押し退けられることにより、該ドライブギア61が該メインギア42’から離脱する。第二クラッチ機構8は、このようにして、減速モーター6とメイン軸4との連動を制御する。
【００３１】
図6及び図8に示したように、自転車10、フィットネスバイク20及びフィットネスチェア30に前記スリーブ11を使用し、その上方に一つの中継スリーブ9を設ける一方、偏心軸2を中継軸21と接続し、中継軸21をスリーブ11内に、偏心軸2を中継スリーブ9内に嵌め入れることにより、偏心軸2を上下へ伸縮運動させることができ、更に一つの固着ピン91を該中継スリーブ9に締付けることにより、該偏心軸2を固定することができるため、偏心シートＳを使用者の高さによって上下へ調整できるものになる。
【００３２】
シートＳを偏心軸2に枢接する構造について、図15乃至図18を参照して説明する。まず、偏心軸2の頂端に、シートＳの一つの調整座Ｓ1を固定することができる。一方、シートＳの底端に軸方向に一つの軸バーＳ22を設け、一つの調整バーＳ2の前端に連接した軸スリーブＳ21と合せて、該軸バーＳ22を該軸スリーブＳ21に嵌め入れる。さらに、該調整バーＳ2を調整座Ｓ1内に挿入するように嵌め入れ、調整座Ｓ1を貫通する一つの固定ピンＳ3で調整バーＳ2を固定するようにすると、シートＳと偏心軸2との距離を前後へ調整することができ、偏心軸2に対してシートＳを自由に回転させうるようになる。このようにして、偏心軸2が駆動された際に必要となる回転半径に応じてシートの前後位置を適当に調整できる。また、前記の該調整バーＳ2を調整座Ｓ1の両端の何れの一端に対しても挿入可能であるので、偏心軸2の回転軸心に対するシートＳの軸バーＳ22の回転軸心の偏移距離の変更幅が一層大きくなり、シートＳの回転半径や回転弧度の変更幅を一層大きくすることができる。
【図面の簡単な説明】
【００３３】
【図１】本考案における偏心軸回転機構を示した模式図。
【図２】本考案における中継軸及び従動扇形ギアのパーツを分解して示した模式図。
【図３】本考案における偏心軸と従動扇形ギアとを組合せた状態の断面図。
【図４】本考案を応用した自転車を斜め後方から見た斜視図。
【図５】本考案を応用した自転車を図４とは反対側の斜め後方から見た斜視図の拡大図。
【図６】本考案を応用した自転車の部分断面模式図。
【図７】本考案を応用したフィットネスバイクの模式図。
【図８】本考案を応用したフィットネスバイクの部分断面模式図。
【図９】本考案を応用したフィットネスチェアを斜め後方から見た模式図。
【図１０】本考案を応用したフィットネスチェアを斜め前方から見た模式図。
【図１１】本考案における連動動作状態の模式図。
【図１２】本考案の第二クラッチ機構による連動動作の離脱状態の模式図。
【図１３】本考案における連動動作状態の模式図。
【図１４】本考案の第一クラッチ機構による連動動作の離脱状態の模式図。
【図１５】本考案におけるシート調整構造の分解図。
【図１６】本考案におけるシート調整構造の組合せ図。
【図１７】本考案におけるシート調整構造のもう一つの実施例の分解図。
【図１８】本考案におけるシート調整構造のもう一つの実施例の組合せ図。
【符号の説明】
【００３４】
支持枠1      スリーブ11      軸受け12      偏心軸2
シートＳ      中継軸21      軸方向スライド溝（レール）211
ねじ山212      ナット213      従動扇形ギア3      軸孔31
軸方向スライドレール（溝）32      圧縮スプリング314
扇形ギア41      メイン軸4      従動チェーンホイール42、42”
メインギア42’      ペダル回転軸5      ドライブチェーンホイール51
補助チェーンホイール52、52’      チェーン53、53’
自転車10      フィットネスバイク20      減速モーター6
ドライブギア61      フィットネスチェア30      調節器A、B
調節縄A1、B1      第一クラッチ機構7      リング溝33
受け板71      固定バー72      スプリング73、82      板体74
縄スリーブA2、B2      止めピンA3、B3      枢接座62      枢軸621
固定座622      第二クラッチ機構8      位置制限バー81      
止めフック83      中継スリーブ9      固着ピン91      調整座Ｓ1
調整バーＳ2      軸バーＳ22      軸スリーブＳ21
【図１】
0003124460.tif 000003
【図２】
0003124460.tif 000004
【図３】
0003124460.tif 000005
【図４】
0003124460.tif 000006
【図５】
0003124460.tif 000007
【図６】
0003124460.tif 000008
【図７】
0003124460.tif 000009
【図８】
0003124460.tif 000010
【図９】
0003124460.tif 000011
【図１０】
0003124460.tif 000012
【図１１】
0003124460.tif 000013
【図１２】
0003124460.tif 000014
【図１３】
0003124460.tif 000015
【図１４】
0003124460.tif 000016
【図１５】
0003124460.tif 000017
【図１６】
0003124460.tif 000018
【図１７】
0003124460.tif 000019
【図１８】
0003124460.tif 000020